(57)【特許請求の範囲】
【請求項１】
テレビで広告されている商品の価格、販売店を含む商品関連情報を視聴者／購入者に紹介する紹介者装置が、ネットワークを介して視聴者／購入者端末にリアルタイムに配信する広告商品情報配信方法であって、
紹介者装置は、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理する第１のステップと、
紹介者装置は、販売店で販売している商品の商品名、価格、販売店の名称および場所情報を含む商品／販売店関連情報を販売店から取得して、販売店毎に商品／販売店関連情報として商品／販売店関連情報データベースに蓄積管理する第２のステップと、
紹介者装置は、ネットワークを介した通信により広告情報提供装置から広告商品の商品情報および放送時間を含む広告放送情報を取得し、該広告放送情報データベースに蓄積管理する第３のステップと、
紹介者装置は、現在時刻に近い放送時間の広告商品の商品情報を前記広告放送情報データベースから検索する第４のステップと、
紹介者装置は、前記第４のステップで得られた商品情報に基づき前記興味商品情報データベースを検索し、該広告商品に興味のある視聴者／購入者の興味商品情報を取得する第５のステップと、
紹介者装置は、前記第４のステップで得られた商品情報に基づき前記商品／販売店関連情報データベースを検索し、該広告商品を販売している販売店および該販売店における該広告商品の商品／販売店関連情報を取得する第６のステップと、
紹介者装置は、前記第５のステップで得られた興味商品情報に含まれる視聴者／購入者に関する情報から該当する視聴者／購入者端末に対して、前記第６のステップで得られた商品／販売店関連情報をネットワークを介して配信する第７のステップと、
を有することを特徴とする広告商品情報配信方法。
【請求項２】
テレビで広告されている商品の価格、販売店を含む商品関連情報を視聴者／購入者に紹介する紹介者装置が、ネットワークを介して視聴者／購入者端末にリアルタイムに配信する広告商品情報配信方法であって、
紹介者装置は、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理する第１のステップと、
紹介者装置は、販売店で販売している商品の商品名、価格、販売店の名称および場所情報を含む商品／販売店関連情報を販売店から取得して、販売店毎に商品／販売店関連情報として商品／販売店関連情報データベースに蓄積管理する第２のステップと、
紹介者装置は、放送局からの放送波を受信し、この受信した放送波から構成される放送信号を映像処理又はオーディオ処理し、コマーシャルか否かを判断する第３のステップと、
紹介者装置は、前記第３のステップにおいてコマーシャルと判断したときには、テロップ認識技術により当該コマーシャルにおける広告商品の商品情報を生成する第４のステップと、
紹介者装置は、前記第４のステップで得られた商品情報に基づき前記興味商品情報データベースを検索し、該広告商品に興味のある視聴者／購入者の興味商品情報を取得する第５のステップと、
紹介者装置は、前記第４のステップで得られた商品情報に基づき前記商品／販売店関連情報データベースを検索し、該広告商品を販売している販売店および該販売店における該広告商品の商品／販売店関連情報を取得する第６のステップと、
紹介者装置は、前記第５のステップで得られた興味商品情報に含まれる視聴者／購入者に関する情報から該当する視聴者／購入者端末に対して、前記第６のステップで得られた商品／販売店関連情報をネットワークを介して配信する第７のステップと、
を有することを特徴とする広告商品情報配信方法。
【請求項３】
テレビで広告されている商品の価格、販売店を含む商品関連情報を視聴者／購入者に紹介する紹介者装置が、ネットワークを介して視聴者／購入者端末にリアルタイムに配信する広告商品情報配信システムであって、
前記紹介者装置は、
ネットワークを介した通信により前記視聴者／購入者端末から視聴者／購入者に関する情報、および視聴者／購入者の興味のある商品の情報を取得して、視聴者／購入者毎に興味商品情報として蓄積管理する興味商品情報データベースと、
販売店で販売している商品の商品名、価格、販売店の名称および場所情報を含む商品／販売店関連情報を販売店から取得して、販売店毎に商品／販売店関連情報として蓄積管理する商品／販売店関連情報データベースと、
ネットワークを介した通信により広告情報提供装置から広告商品の商品情報および放送時間を含む広告放送情報を取得し、蓄積管理する広告放送情報データベースと、
現在時刻に近い放送時間の広告商品の商品情報を前記広告放送情報データベースから検索する商品情報検索手段と、
前記商品情報検索手段で得られた商品情報に基づき前記興味商品情報データベースを検索し、該広告商品に興味のある視聴者／購入者の興味商品情報を取得する興味商品情報取得手段と、
前記商品情報検索手段で得られた商品情報に基づき前記商品／販売店関連情報データベースを検索し、該広告商品を販売している販売店および該販売店における該広告商品の商品／販売店関連情報を取得する商品／販売店関連情報取得手段と、
前記興味商品情報取得手段で得られた興味商品情報に含まれる視聴者／購入者に関する情報から該当する視聴者／購入者端末に対して、前記商品／販売店関連情報取得手段で得られた商品／販売店関連情報をネットワークを介して配信する配信手段と、
を有することを特徴とする広告商品情報配信システム。
【請求項４】
テレビで広告されている商品の価格、販売店を含む商品関連情報を視聴者／購入者に紹介する紹介者装置が、ネットワークを介して視聴者／購入者端末にリアルタイムに配信する広告商品情報配信システムであって、
前記紹介者装置は、
ネットワークを介した通信により前記視聴者／購入者端末から視聴者／購入者に関する情報、および視聴者／購入者の興味のある商品の情報を取得して、視聴者／購入者毎に興味商品情報として蓄積管理する興味商品情報データベースと、
販売店で販売している商品の商品名、価格、販売店の名称および場所情報を含む商品／販売店関連情報を販売店から取得して、販売店毎に商品／販売店関連情報として蓄積管理する商品／販売店関連情報データベースと、
放送局からの放送波を受信し、この受信した放送波から構成される放送信号を映像処理又はオーディオ処理し、コマーシャルか否かを判断するＣＭ識別手段と、
前記ＣＭ識別手段においてコマーシャルと判断したときには、テロップ認識技術により当該コマーシャルにおける広告商品の商品情報を生成する商品情報生成手段と、
前記商品情報生成手段で得られた商品情報に基づき前記興味商品情報データベースを検索し、該広告商品に興味のある視聴者／購入者の興味商品情報を取得する興味商品情報取得手段と、
前記商品情報生成手段で得られた商品情報に基づき前記商品／販売店関連情報データベースを検索し、該広告商品を販売している販売店および該販売店における該広告商品の商品／販売店関連情報を取得する商品／販売店関連情報取得手段と、
前記興味商品情報取得手段で得られた興味商品情報に含まれる視聴者／購入者に関する情報から該当する視聴者／購入者端末に対して、前記商品／販売店関連情報取得手段で得られた商品／販売店関連情報をネットワークを介して配信する配信手段と、
を有することを特徴とする広告商品情報配信システム。
【発明の詳細な説明】
【０００１】
【発明の属する技術分野】
本発明は、テレビで広告されている商品を視聴して購入したいと考えている視聴者／購入者によって操作される視聴者／購入者装置、およびテレビで広告されている商品の価格、販売店を含む商品関連情報を視聴者／購入者に紹介する紹介者装置がネットワークを介して接続されているシステムにおいてテレビで広告されている商品の商品関連情報を視聴者／購入者にリアルタイムに配信する広告商品情報配信方法およびシステムに関する。
【０００２】
【従来の技術】
数千万家庭へブロードキャストできる放送は、商品などの広告メディアとしての地位を確立している。デジタル衛星放送、データ放送も始まり、新しい広告メディアとしての期待も大きい。ＩＰ網定額常時接続サービスの開始に伴い、今以上にインターネットの急激な普及が見込まれ、ＨＰ上でのバナー広告など新しいＣＭスタイルも提案され、インターネットが広告メディアとして大きく発展する可能性を見せている。近い将来、デジタル放送とブロードバンド通信が密接に融合し、インタラクティブをキーワードに多彩なサービスが開花するのと同時に広告スタイルもタイムリーに歩調を合わせて大きく変貌することが予想される。
【０００３】
インタラクティブがもたらす視聴者にとっての最大の恩恵は、パーソナライズな情報（その人にあった情報）のパーソナライズな享受（その人にあった受け取り方）である。広告のパーソナライズな情報のパーソナライズな享受をして欲しいと視聴者が思う例として、「放送されている商品のＣＭを見ている時に、その商品が近所の販売店でいくらで売っているか、ここの販売店とあそこの販売店のどちらで買えば得するか、また安く買える販売店は近所にあるのかなどのＣＭ商品に連動して地域の情報がタイムリーに欲しい。」というようなシーンが想定される。
【０００４】
【発明が解決しようとする課題】
上述したような視聴者が切望するシーンを現状システムで実現しようとすると、現状のデジタル放送、データ放送システムで実現しようとしても地域や日時でダイナミックに変更される商品情報にその対応が追いつかないという問題がある。
【０００５】
また、現状のインターネットシステムでテレビを見ながら商品に関する欲しい情報（その商品の取扱い店や価格など）を検索しようとしても、検索に伴う煩わしい操作（キーワード入力やブラウザなど）が付き纏い、簡単に行なうことができないという問題がある。
【０００６】
従って、テレビで放映されている広告商品を見て、この広告商品を扱っている販売店やその価格などの情報を簡単かつタイムリーに提供してくれるシステムが要望されている。
【０００７】
本発明は、上記に鑑みてなされたもので、その目的とするところは、テレビで広告されている商品を扱っている販売店やその価格を含む広告商品関連情報をリアルタイムにテレビの視聴者に配信する広告商品情報配信方法およびシステムを提供することにある。
【０００８】
【課題を解決するための手段】
上記目的を達成するため、請求項１記載の本発明は、テレビで広告されている商品の価格、販売店を含む商品関連情報を視聴者／購入者に紹介する紹介者装置が、ネットワークを介して視聴者／購入者端末にリアルタイムに配信する広告商品情報配信方法であって、紹介者装置は、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理する第１のステップと、紹介者装置は、販売店で販売している商品の商品名、価格、販売店の名称および場所情報を含む商品／販売店関連情報を販売店から取得して、販売店毎に商品／販売店関連情報として商品／販売店関連情報データベースに蓄積管理する第２のステップと、紹介者装置は、ネットワークを介した通信により広告情報提供装置から広告商品の商品情報および放送時間を含む広告放送情報を取得し、該広告放送情報データベースに蓄積管理する第３のステップと、紹介者装置は、現在時刻に近い放送時間の広告商品の商品情報を前記広告放送情報データベースから検索する第４のステップと、紹介者装置は、前記第４のステップで得られた商品情報に基づき前記興味商品情報データベースを検索し、該広告商品に興味のある視聴者／購入者の興味商品情報を取得する第５のステップと、紹介者装置は、前記第４のステップで得られた商品情報に基づき前記商品／販売店関連情報データベースを検索し、該広告商品を販売している販売店および該販売店における該広告商品の商品／販売店関連情報を取得する第６のステップと、紹介者装置は、前記第５のステップで得られた興味商品情報に含まれる視聴者／購入者に関する情報から該当する視聴者／購入者端末に対して、前記第６のステップで得られた商品／販売店関連情報をネットワークを介して配信する第７のステップと、を有することを要旨とする。
【０００９】
請求項１記載の本発明にあっては、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理し、ネットワークを介した通信により広告情報提供装置から広告商品の商品情報および放送時間を含む広告放送情報を取得して、該広告放送情報データベースに蓄積管理する。そして、現在時刻に近い放送時間の広告商品の商品情報を前記広告放送情報データベースから検索し、この検索で得られた商品情報に基づき前記興味商品情報データベースを検索し、該広告商品に興味のある視聴者／購入者の興味商品情報を取得するとともに、上記検索で得られた商品情報に基づき前記商品／販売店関連情報データベースを検索し、該広告商品を販売している販売店および該販売店における該広告商品の商品／販売店関連情報を取得し、取得した興味商品情報に含まれる視聴者／購入者に関する情報から該当する視聴者／購入者端末に対して、取得した商品／販売店関連情報をネットワークを介して配信するため、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能である。
【００１０】
また、請求項２記載の本発明は、テレビで広告されている商品の価格、販売店を含む商品関連情報を視聴者／購入者に紹介する紹介者装置が、ネットワークを介して視聴者／購入者端末にリアルタイムに配信する広告商品情報配信方法であって、紹介者装置は、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理する第１のステップと、紹介者装置は、販売店で販売している商品の商品名、価格、販売店の名称および場所情報を含む商品／販売店関連情報を販売店から取得して、販売店毎に商品／販売店関連情報として商品／販売店関連情報データベースに蓄積管理する第２のステップと、紹介者装置は、放送局からの放送波を受信し、この受信した放送波から構成される放送信号を映像処理又はオーディオ処理し、コマーシャルか否かを判断する第３のステップと、紹介者装置は、前記第３のステップにおいてコマーシャルと判断したときには、テロップ認識技術により当該コマーシャルにおける広告商品の商品情報を生成する第４のステップと、紹介者装置は、前記第４のステップで得られた商品情報に基づき前記興味商品情報データベースを検索し、該広告商品に興味のある視聴者／購入者の興味商品情報を取得する第５のステップと、紹介者装置は、前記第４のステップで得られた商品情報に基づき前記商品／販売店関連情報データベースを検索し、該広告商品を販売している販売店および該販売店における該広告商品の商品／販売店関連情報を取得する第６のステップと、紹介者装置は、前記第５のステップで得られた興味商品情報に含まれる視聴者／購入者に関する情報から該当する視聴者／購入者端末に対して、前記第６のステップで得られた商品／販売店関連情報をネットワークを介して配信する第７のステップと、を有することを要旨とする。
【００１１】
請求項２記載の本発明にあっては、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理する。そして、放送局からの放送波を受信し、この受信した放送波から構成される放送信号を映像処理又はオーディオ処理し、コマーシャルか否かを判断し、コマーシャルと判断したときには、テロップ認識技術により当該コマーシャルにおける広告商品の商品情報を生成し、生成された商品情報に基づき前記興味商品情報データベースを検索し、該広告商品に興味のある視聴者／購入者の興味商品情報を取得するとともに、生成された商品情報に基づき前記商品／販売店関連情報データベースを検索し、該広告商品を販売している販売店および該販売店における該広告商品の商品／販売店関連情報を取得し、取得された興味商品情報に含まれる視聴者／購入者に関する情報から該当する視聴者／購入者端末に対して、取得された商品／販売店関連情報をネットワークを介して配信するため、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能であることに加えて、放送局または広告情報提供装置などから広告商品に関する情報が得られなくても、放送波から商品情報を生成することができる。
【００１２】
更に、請求項３記載の本発明は、テレビで広告されている商品の価格、販売店を含む商品関連情報を視聴者／購入者に紹介する紹介者装置が、ネットワークを介して視聴者／購入者端末にリアルタイムに配信する広告商品情報配信システムであって、前記紹介者装置は、ネットワークを介した通信により前記視聴者／購入者端末から視聴者／購入者に関する情報、および視聴者／購入者の興味のある商品の情報を取得して、視聴者／購入者毎に興味商品情報として蓄積管理する興味商品情報データベースと、販売店で販売している商品の商品名、価格、販売店の名称および場所情報を含む商品／販売店関連情報を販売店から取得して、販売店毎に商品／販売店関連情報として蓄積管理する商品／販売店関連情報データベースと、ネットワークを介した通信により広告情報提供装置から広告商品の商品情報および放送時間を含む広告放送情報を取得し、蓄積管理する広告放送情報データベースと、現在時刻に近い放送時間の広告商品の商品情報を前記広告放送情報データベースから検索する商品情報検索手段と、前記商品情報検索手段で得られた商品情報に基づき前記興味商品情報データベースを検索し、該広告商品に興味のある視聴者／購入者の興味商品情報を取得する興味商品情報取得手段と、前記商品情報検索手段で得られた商品情報に基づき前記商品／販売店関連情報データベースを検索し、該広告商品を販売している販売店および該販売店における該広告商品の商品／販売店関連情報を取得する商品／販売店関連情報取得手段と、前記興味商品情報取得手段で得られた興味商品情報に含まれる視聴者／購入者に関する情報から該当する視聴者／購入者端末に対して、前記商品／販売店関連情報取得手段で得られた商品／販売店関連情報をネットワークを介して配信する配信手段と、を有することを要旨とする。
【００１３】
請求項３記載の本発明にあっては、紹介者装置は、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理し、ネットワークを介した通信により広告情報提供装置から広告商品の商品情報および放送時間を含む広告放送情報を取得して、該広告放送情報データベースに蓄積管理する。そして、現在時刻に近い放送時間の広告商品の商品情報を前記広告放送情報データベースから検索し、この検索で得られた商品情報に基づき前記興味商品情報データベースを検索し、該広告商品に興味のある視聴者／購入者の興味商品情報を取得するとともに、上記検索で得られた商品情報に基づき前記商品／販売店関連情報データベースを検索し、該広告商品を販売している販売店および該販売店における該広告商品の商品／販売店関連情報を取得し、取得した興味商品情報に含まれる視聴者／購入者に関する情報から該当する視聴者／購入者端末に対して、取得した商品／販売店関連情報をネットワークを介して配信するため、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能である。
【００１４】
請求項４記載の本発明は、テレビで広告されている商品の価格、販売店を含む商品関連情報を視聴者／購入者に紹介する紹介者装置が、ネットワークを介して視聴者／購入者端末にリアルタイムに配信する広告商品情報配信システムであって、前記紹介者装置は、ネットワークを介した通信により前記視聴者／購入者端末から視聴者／購入者に関する情報、および視聴者／購入者の興味のある商品の情報を取得して、視聴者／購入者毎に興味商品情報として蓄積管理する興味商品情報データベースと、販売店で販売している商品の商品名、価格、販売店の名称および場所情報を含む商品／販売店関連情報を販売店から取得して、販売店毎に商品／販売店関連情報として蓄積管理する商品／販売店関連情報データベースと、放送局からの放送波を受信し、この受信した放送波から構成される放送信号を映像処理又はオーディオ処理し、コマーシャルか否かを判断するＣＭ識別手段と、前記ＣＭ識別手段においてコマーシャルと判断したときには、テロップ認識技術により当該コマーシャルにおける広告商品の商品情報を生成する商品情報生成手段と、前記商品情報生成手段で得られた商品情報に基づき前記興味商品情報データベースを検索し、該広告商品に興味のある視聴者／購入者の興味商品情報を取得する興味商品情報取得手段と、前記商品情報生成手段で得られた商品情報に基づき前記商品／販売店関連情報データベースを検索し、該広告商品を販売している販売店および該販売店における該広告商品の商品／販売店関連情報を取得する商品／販売店関連情報取得手段と、前記興味商品情報取得手段で得られた興味商品情報に含まれる視聴者／購入者に関する情報から該当する視聴者／購入者端末に対して、前記商品／販売店関連情報取得手段で得られた商品／販売店関連情報をネットワークを介して配信する配信手段と、を有することを要旨とする。
【００１５】
請求項４記載の本発明にあっては、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理する。そして、放送局からの放送波を受信し、この受信した放送波から構成される放送信号を映像処理又はオーディオ処理し、コマーシャルか否かを判断し、コマーシャルと判断したときには、テロップ認識技術により当該コマーシャルにおける広告商品の商品情報を生成し、生成された商品情報に基づき前記興味商品情報データベースを検索し、該広告商品に興味のある視聴者／購入者の興味商品情報を取得するとともに、生成された商品情報に基づき前記商品／販売店関連情報データベースを検索し、該広告商品を販売している販売店および該販売店における該広告商品の商品／販売店関連情報を取得し、取得された興味商品情報に含まれる視聴者／購入者に関する情報から該当する視聴者／購入者端末に対して、取得された商品／販売店関連情報をネットワークを介して配信するため、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能であることに加えて、放送局または広告情報提供装置などから広告商品に関する情報が得られなくても、放送波から商品情報を生成することができる。
【００４０】
【発明の実施の形態】
以下、図面を用いて本発明の実施の形態を説明する。図１は、本発明の第１の実施形態に係る広告商品情報配信方法を実施する広告商品情報配信システムの構成を示すブロック図である。
【００４１】
同図に示す広告商品情報配信システムは、ＣＭに連動した地域、商品情報を視聴者／購入者にタイムリーに提示するための視聴者／購入者装置１、地域、商品情報をリアルタイムに提供するための販売店装置３、ＣＭ放送スケジュール情報を提供するための放送局装置５、提供された地域、商品情報とＣＭ放送スケジュール情報からタイムリーに視聴者／購入者が必要な情報を視聴者／購入者毎へ個別に提供するための紹介者装置７、提供された地域、商品情報を見て商品を購入したことを確認する確認装置９から構成している。
【００４２】
前記紹介者装置７は、ネットワーク１０を介して視聴者／購入者装置１にアクセスして視聴者／購入者の興味のある商品の情報を視聴者／購入者から取得して、視聴者／購入者毎に興味商品情報として蓄積管理する興味商品情報データベースと、販売店で販売している商品の商品名、価格、販売店の名称および場所情報を含む商品／販売店関連情報を販売店から取得して、販売店毎に商品／販売店関連情報として蓄積管理する商品／販売店関連情報データベースと、販売店装置３にアクセスし、販売店で販売している商品の商品名、価格、販売店の名称および場所情報を含む商品／販売店関連情報を販売店装置３から取得して、販売店毎に商品／販売店関連情報として商品／販売店関連情報データベースに蓄積管理するように制御する商品／販売店関連情報蓄積制御手段と、テレビで広告されている商品の情報に基づき該広告商品に興味のある視聴者／購入者を前記興味商品情報データベースから検索する視聴者／購入者検索手段と、テレビで広告されている商品の情報に基づき該広告商品を販売している販売店および該販売店における該広告商品の商品／販売店関連情報を前記商品／販売店関連情報データベースから検索する販売店検索手段と、前記検索した視聴者／購入者の視聴者／購入者装置に前記検索した販売店の情報および広告商品の商品／販売店関連情報をネットワーク１０を介して配信する配信手段とを有する。
【００４３】
また、前記紹介者装置７は、放送局装置５にアクセスし、放送局装置５から広告商品の商品情報および放送時間を含む広告放送情報を取得して蓄積管理する広告放送情報データベースを有し、前記視聴者／購入者検索手段は、前記広告放送情報データベースに広告放送情報として蓄積管理されている広告商品の商品情報および放送時間に基づき該放送時間を考慮して該広告商品に興味のある視聴者／購入者を前記興味商品情報データベースから検索する検索手段を有し、前記販売店検索手段は、前記広告放送情報データベースに広告放送情報として蓄積管理されている広告商品の商品情報および放送時間に基づき該放送時間を考慮して該広告商品を販売している販売店および該販売店における該広告商品の商品／販売店関連情報を前記商品／販売店関連情報データベースから検索する検索手段を有し、前記配信手段は、前記広告放送情報データベースに広告放送情報として蓄積管理されている放送時間を考慮して前記検索した販売店の情報および広告商品の商品／販売店関連情報を前記検索した視聴者／購入者装置１にネットワーク１０を介して配信する手段を有する。
【００４４】
更に、前記視聴者／購入者検索手段は、放送局からの放送波を受信し、この受信した放送波に基づきテレビから放送されている広告商品情報を生成する広告商品情報生成手段と、この生成した広告商品情報に基づき該広告商品に興味のある視聴者／購入者を前記興味商品情報データベースから検索する手段とを有し、前記販売店検索手段は、前記広告商品情報生成手段で生成した広告商品情報に基づき該広告商品を販売している販売店および該販売店における該広告商品の商品／販売店関連情報を前記商品／販売店関連情報データベースから検索する手段を有し、前記配信手段は、前記広告商品情報生成手段における前記広告商品情報の生成に対応して前記検索した販売店の情報および広告商品の商品／販売店関連情報を前記検索した視聴者／購入者装置１にネットワーク１０を介して配信する手段を有する。
【００４５】
前記視聴者／購入者検索手段は、前記広告商品に興味のある視聴者／購入者を興味商品情報データベースから検索することに加えて、該視聴者／購入者の住所情報も検索する住所検索手段を有し、前記販売店検索手段は、前記住所検索手段で検索した視聴者／購入者の住所に近い販売店を検索する近傍販売店検索手段を有する。
【００４６】
視聴者／購入者装置は、図２に示すように、ユーザ情報を入力する手段１１ａを有する入力装置１１、ユーザ情報を表示する手段１２ａと商品情報を表示する手段１２ｂを有する表示装置１２、商品情報を管理する手段１３ａを有する管理装置１３、ユーザ情報を蓄積する手段１４ａと商品情報を蓄積する手段１４ｂを有する蓄積装置１４、商品情報を受信する手段１５ａと特典情報を受信する手段１５ｂを有する受信装置１５、ユーザ情報を送信する手段１６ａを有する送信装置１６から構成される。
【００４７】
販売店装置３は、図３に示すように、販売店情報を入力する手段３１ａと商品情報を入力する手段３１ｂとを有する入力装置３１、商品情報を管理する手段３２ａを有する管理装置３２、商品情報を送信する手段３３ａと販売店情報を送信する手段３３ｂとを有する送信装置３３、商品情報を表示する手段３４ｂと販売店情報を表示する手段３４ａとを有する表示装置３４、商品情報を蓄積する手段３５ｂと販売店情報を蓄積する手段３５ａとを有する蓄積装置３５、および情報を受信する受信装置３６から構成される。
【００４８】
放送局装置５は、図４に示すように、放送局情報を入力する手段５１ａとＣＭ放送情報を入力する手段５１ｂとを有する入力装置５１、放送局情報を表示する手段５２ａとＣＭ放送情報を表示する手段５２ｂとを有する表示装置５２、ＣＭ放送情報を管理する手段５３ａを有する管理装置５３、放送局情報を蓄積する手段５４ａとＣＭ放送情報を蓄積する手段５４ｂとを有する蓄積装置５４、放送局情報を送信する手段５５ａとＣＭ放送情報を送信する手段５５ｂとを有する送信装置５５、および情報を受信する受信装置５６から構成される。
【００４９】
紹介者装置７は、図５に示すように、ユーザの受信条件を登録管理する手段７１ａと販売店を登録管理する手段７１ｂと商品情報を登録管理する手段７１ｃと放送局を登録管理する手段７１ｄとＣＭ放送情報を登録管理する手段７１ｅとユーザ特典を管理する手段７１ｆとを有する管理装置７１、ＣＭ反響を送信する手段７２ａとユーザ特典を送信する手段７２ｂと販売店情報と商品情報を送信する手段７２ｃとを有する送信装置７２、ＣＭ放送情報を受信する手段７３ａと商品情報を受信する手段７３ｂとユーザ情報を受信する手段７３ｃとを有する受信装置７３、情報を表示する表示装置７４、情報を入力する入力装置７５、ＣＭ放送情報と商品情報を関係付ける手段７６ａを有するリンク装置７６、ＣＭ放送情報を作成する手段７７ａを有する作成装置７７、ＣＭ反響を測定する手段７８ａを有する測定装置７８、ユーザ情報を蓄積する手段７９ａと販売店情報を蓄積する手段７９ｂと商品情報を蓄積する手段７９ｃと放送局情報を蓄積する手段７９ｄとＣＭ放送情報を蓄積する手段７９ｅとＣＭ反響情報を蓄積する手段７９ｆとユーザ特典を蓄積する手段７９ｇとを有する蓄積装置７９から構成される。
【００５０】
確認装置９は、図６に示すように、ユーザＩＤを入力する手段９１ａと商品ＩＤを入力する手段９１ｂとを有する入力装置９１、ユーザＩＤを表示する手段９２ａと商品ＩＤを表示する手段９２ｂとを有する表示装置９２、商品の購入を証明する手段９３ａを有する証明装置９３、商品購入証明を管理する手段９４ａを有する管理装置９４、商品購入証明を蓄積する手段９５ａを有する蓄積装置９５、商品購入証明を送信する手段９６ａを有する送信装置９６、および受信を行なう受信装置９７から構成される。
【００５１】
次に、図７に示すシーケンス図を参照して、以上のように構成される広告商品情報配信システムの作用について説明する。
【００５２】
まず、視聴者／購入者は、視聴者／購入者装置１に個人情報をユーザ情報入力手段１１ａで入力し、紹介者装置７にユーザ情報送信手段１６ａで送信し、ユーザ登録を行なう。この入力する個人情報は、名前、住所、連絡先、職業、趣味、嗜好または興味のある商品などのプロファイル情報と広告して欲しい対象エリアなどである。
【００５３】
広告して欲しい対象エリアとは、例えば図８に示すように、自宅（７）から半径ｙｙｙキロまでの販売店、（Ｂ，Ｃ）の情報が欲しい場合の“自宅からｙｙｙキロまでのエリア”などである。
【００５４】
視聴者／購入者装置１から送信されたユーザ情報は、紹介者装置７でユーザ情報受信手段７３ｃにより受け取られ、ユーザの受信条件を登録管理する手段７１ａで管理されるとともに、ユーザ情報を蓄積する手段７９ａにより蓄積装置７９に保存される。ユーザから送られた広告対象エリアからエリア内の該当する販売店をＤＢを構成する蓄積装置７９から検索し検索結果をユーザへ送信し確認を行なう。図８に示した例の場合、販売店（Ｂ，Ｃ）の情報をユーザに送信し確認を促す。確認できた場合、図９に示したＤＢ管理情報に視聴者／購入者情報とともにメタ情報として広告対象エリアも追加される。追加の際にユーザに割り当てたＩＤをユーザＩＤとして管理、蓄積し、視聴者／購入者へも通知する。
【００５５】
次に、販売者は、販売店装置３に販売店情報を販売店情報入力手段３１ａで入力し、紹介者装置７へ販売店情報送信手段３３ｂで送信し販売店の登録を行なう。入力する販売店情報は、販売店名、住所、連絡先、代表者名、資本金、扱う商品の種類、商品の価格などのプロファイル情報と広告して欲しい対象エリアなどである。
【００５６】
広告して欲しい対象エリアとは、例えば図１０に示すように、販売店（Ｂ）から半径ｘｘｘキロまでの視聴者／購入者（１）〜（１０）に販売店、商品情報を送信して欲しい場合の“販売店からｘｘｘキロまでのエリア”などである。
【００５７】
販売店装置３から送信された販売店情報は、紹介者装置７で販売店情報受信手段７３ｄにより受け取られ、販売店を登録管理する手段７１ｂで管理されるとともに、販売店情報を蓄積する手段７９ｂにより蓄積装置７９に保存される。販売店から送られた広告対象エリアからエリア内の該当する視聴者／購入者をＤＢ７９から検索し検索結果を販売店へ必要に応じて送信し確認を行なう。図１０に示した例の場合、視聴者／購入者（１）〜（１０）の情報を販売店に必要に応じて送信し確認を促す。確認できた場合、図９に示したＤＢ管理情報に販売店情報とともにメタ情報として広告対象エリアも追加される。追加の際に販売店に割り当てたＩＤを販売店ＩＤとして管理、蓄積し、販売店へも通知する。
【００５８】
次に、放送局は、放送局装置５に放送局情報を放送局情報入力手段５１ａで入力し、紹介者装置７へ放送局情報送信手段５５ａで送信し放送局の登録を行なう。入力する放送局情報は、局名、住所、連絡先、代表者名、資本金などのプロファイル情報などである。放送局装置５から送信された放送局情報は、紹介者装置７で放送局情報受信手段７３ｅにより受け取られ、放送局を登録管理する手段７１ｄで管理されるとともに、放送局情報を蓄積する手段７９ｄにより蓄積装置７９に保存される。ＤＢ管理情報に放送局情報を追加の際に放送局に割り当てたＩＤを放送局ＩＤとして管理、蓄積し、放送局へも通知する。
【００５９】
販売者は、販売店装置３に商品情報を商品情報入力手段３１ｂで入力し、紹介者装置７へ商品情報送信手段３３ａで送信し視聴者／購入者に送信して欲しい商品の登録を行なう。入力する商品情報は、商品名、型番、価格、その他メモなどである。
【００６０】
この商品情報送信処理について図１１を参照して説明する。商品情報の送信を開始すると紹介者装置７へ送信接続の要求を出す（ステップＳ１１１）。この時販売店ＩＤを送信する。紹介者装置側では、送信接続要求に対して、販売店ＩＤでＤＢに管理されている販売店と照合をとり、登録されている販売店に対して接続の許可を出す。許可された場合、通信が始まる（ステップＳ１１３）。送信したい商品情報は、入力されるか（ステップＳ１１５）、予め販売店装置に蓄積されている商品情報を検索する（ステップＳ１１７）。入力されるか、検索された商品情報は、紹介者装置７へ送信される（ステップＳ１１９）。入力した商品情報に対して、販売店装置３に蓄積、管理するか判断し（ステップＳ１２１）、蓄積、管理する場合、販売店装置に蓄積、管理し（ステップＳ１２５）、そうでない場合、破棄される（ステップＳ１２３）。送信終了の判断をし（ステップＳ１２７）、継続の場合、ステップＳ１１５かＳ１１７に戻り、送信したい商品情報を再び入力するか、検索する。終了の場合、通信の接続を解除する（ステップＳ１２９）。
【００６１】
販売店装置３から送信された商品情報は、紹介者装置７で商品情報受信手段７３ｂにより受け取られ、商品情報を登録管理する手段７１ｃで管理されるとともに、商品情報を蓄積する手段７９ｃにより蓄積装置７９に保存される。商品情報は、ＤＢ管理情報に追加される。
【００６２】
この商品情報受信処理について図１２を参照して説明する。販売店からの受信接続要求に対して（ステップＳ１３１）、紹介者装置７側では、販売店ＩＤでＤＢに管理されている販売店と照合をとり、登録されている販売店に対して接続の許可を出す。許可を出した段階で、販売店装置から商品情報が送られてくるまで待機している。商品情報が送られてきた場合（ステップＳ１３３）、それらを受信し（ステップＳ１３５）、ＤＢに蓄積し（ステップＳ１３７）、受信終了の判断をし（ステップＳ１３９）、継続の場合、ステップＳ１３５に戻り、商品情報が送られてくるまで待機して受信し、販売店装置から通信終了を確認した場合、通信の接続を解除する（ステップＳ１４１）。
【００６３】
この段階で、ＤＢ管理情報には、視聴者／購入者情報、販売店情報、商品情報が管理されている。視聴者／購入者情報、販売店情報、商品情報から図１３に示すような階層構造のメタ管理情報を算出する。商品を頂点として次に販売店、下位に視聴者／購入者の構造をとることを行なう。１つの商品が決まれば、それを取り扱う販売店が決まり、販売店が決まれば、その販売店情報、商品情報を欲する視聴者／購入者が決まる構造である。
【００６４】
登録されている放送局は、放送局装置５にＣＭ放送情報をＣＭ放送情報入力手段５１ｂで入力し、紹介者装置７へＣＭ放送送信手段５５ｂで送信する。送信するＣＭ放送情報は、ＣＭ放送時間、ＣＭ名、商品名、型番、メーカー名、その他メモなどである。
【００６５】
このＣＭ放送情報送信処理について図１４を参照して説明する。ＣＭ放送情報の送信を開始すると紹介者装置７へ送信接続の要求を出す（ステップＳ１５１）。このとき、放送局ＩＤを送信する。紹介者装置７側では、送信接続要求に対して、放送局ＩＤでＤＢに管理されている放送局と照合をとり、登録されている放送局に対して接続の許可を出す。許可された場合、通信が始まる（ステップＳ１５３）。送信したいＣＭ放送情報は、入力されるか（ステップＳ１５４）、予め放送局装置５に蓄積されているＣＭ放送情報を検索する（ステップＳ１５５）。入力されるか、検索されたＣＭ放送情報は、紹介者装置７へ送信される（ステップＳ１５７）。入力したＣＭ放送情報に対して、放送局装置に蓄積、管理するか判断し（ステップＳ１５９）、蓄積、管理する場合、放送局装置に蓄積、管理し（ステップＳ１６３）、そうでない場合、破棄される（ステップＳ１６１）。送信終了の判断をし（ステップＳ１６５）、継続の場合、ステップＳ１５４かＳ１５５に戻り、送信したい放送局情報を再び入力するか、検索する。終了の場合、通信の接続を解除する（ステップＳ１６７）。
【００６６】
放送局装置５から送信されたＣＭ放送情報は、紹介者装置７でＣＭ放送情報受信手段７３ａにより受け取られ、ＣＭ放送情報を登録管理する手段７１ｅで管理されるとともに、ＣＭ放送情報を蓄積する手段７９ｅにより蓄積装置７９に保存される。ＣＭ放送情報は、ＤＢ管理情報に追加される。
【００６７】
このＣＭ放送情報受信処理について図１５を参照して説明する。放送局からの受信接続要求に対して（ステップＳ１７１）、紹介者装置７側では、放送局ＩＤでＤＢに管理されている放送局と照合をとり、登録されている放送局に対して接続の許可を出す。許可を出した段階で、放送局装置からＣＭ放送情報が送られてくるまで待機している。ＣＭ放送情報が送られてきた場合（ステップＳ１７３）、それらを受信し（ステップＳ１７５）、ＤＢに蓄積し（ステップＳ１７７）、受信終了の判断をし（ステップＳ１７９）、継続の場合、ステップＳ１７５に戻り、商品情報が送られてくるまで待機する。放送局装置５から通信終了を確認した場合、通信の接続を解除する（ステップＳ１８１）。
【００６８】
次に、「放送である商品のＣＭを見ている時に、その商品が近所の販売店でいくらで売っているか？ここの販売店とあそこの販売店のどちらで買えば得するか、また安く買える販売店は近所にあるのかなどのＣＭ商品に連動して地域の情報がタイムリーに欲しい。」と思った時の、紹介者装置７から送信されてくるＣＭに連動した販売店、商品情報を視聴者／購入者装置１で如何に受信するかの手順について図１６を参照して説明する。
【００６９】
視聴者／購入者からの受信接続要求に対して、紹介者装置７側では、ユーザＩＤでＤＢに管理されている視聴者／購入者情報と照合をとり、登録されている視聴者／購入者に対して接続の許可を出す。許可を出した段階で、紹介者装置７からＣＭに連動した販売店、商品情報が送られてくるまで待機している。ＣＭに連動した販売店、商品情報が送られてきた場合（ステップＳ１９３）、それらを受信し（ステップＳ１９５）、表示する（ステップＳ１９７）。ＣＭに連動した販売店、商品情報をＤＢに蓄積するか判断をし（ステップＳ１９９）、蓄積する場合、視聴者／購入者装置１のＤＢに管理、蓄積し（ステップＳ２０１）、そうでない場合、破棄する（ステップＳ２０３）。受信の継続を判断し（ステップＳ２０５）、継続の場合、ステップＳ１９５に戻り、ＣＭに連動した販売店、商品情報が送られてくるまで待機して受信する。受信を終了すると判断した場合、通信の接続を解除する（ステップＳ２０７）。
【００７０】
次に、販売店、商品情報を紹介者装置７から視聴者／購入者装置１へ送信する手順について図１７を参照して説明する。
【００７１】
紹介者装置７に登録している放送局に関しては、ＤＢ管理、蓄積装置７９からＣＭ放送スケジュールをメモリに読み込む（ステップＳ２１３）。紹介者装置７は時刻を見ていて、商品のＣＭ放送が予定されている時間が近づいたかどうか判断する（ステップＳ２１９）。予定されている時間が近づいたと判断された場合、放送予定のＣＭの商品が販売店装置３から視聴者／購入者装置１へ送信希望の商品かどうかＤＢ管理、蓄積装置７９へ問い合わせ（検索）し、希望の商品かどうかの判断を行なう（ステップＳ２２１）。
【００７２】
一方、紹介者装置７に登録されていない放送局からの放送に関しては、放送波をチューナで受信し、映像（音も含む）を紹介者装置７内メモリにキャプチャー（デジタル化）する（ステップＳ２１１）。キャプチャーされた映像信号を映像処理、オーディオ処理を施し、ＣＭに関する特徴量を算出する（ステップＳ２１５）。
【００７３】
ＣＭに関する特徴量とは、例えば、テロップ認識からの商品名、メーカー名、音の無音（一般にＣＭの最初は音が入っていない）、カット点のパターン（ＣＭのカット点数は単位時間あたり多い傾向がある）、ＣＭの１５秒、３０秒ルール、画像の色パターン、画像の色パターンの時系列変化パターンなどである。
【００７４】
これらのＣＭに関する特徴量からＣＭかどうか判断し（ステップＳ２１７）、それらのＣＭに関する特徴量を基に販売店装置３から視聴者／購入者装置１へ送信希望の商品かどうかＤＢ管理、蓄積装置へ問い合わせ（検索）し、希望の商品かどうかの判断を行なう（ステップＳ２２１）。
【００７５】
次に、送信希望商品と判断された場合、商品情報をキーにＤＢへ商品を扱う販売店を検索する（ステップＳ２２３）。対象販売店が見つかった場合、販売店情報をキーにＤＢへ広告対象エリア内の視聴者／購入者を検索する（ステップＳ２２５）。視聴者／購入者が見つかった場合、その視聴者／購入者が販売店、商品情報を今現在欲しているかどうか通信接続状態から判断する（ステップＳ２２７）。通信が接続されている視聴者／購入者に対して、販売店、商品情報を送信する（ステップＳ２２９）。これら一連の処理と配信がＣＭが放送されている時間内に完了することで、ＣＭに連動した販売店、商品情報を視聴者／購入者に対して、提供することができる。
【００７６】
視聴者／購入者は、ＣＭに連動した販売店、商品情報を得て、販売店から提供した情報の商品を購入した場合、確認装置９により、それを確認して証明する手順について図１８を参照して説明する。
【００７７】
確認を開始すると通信機能を持った確認装置９は、紹介者装置７へ接続要求を出す（ステップＳ２３１）。紹介者装置７では、どの確認装置から要求があったか把握し、その要求に対して、接続許可を出す。通信が接続され（ステップＳ２３３）、次に視聴者／購入者のユーザＩＤを入力する（ステップＳ２３５）。入力されたユーザＩＤは紹介者装置７側に送信され、紹介者装置７側では、ユーザＩＤでＤＢに管理されている視聴者／購入者の照合をとり、登録されている視聴者／購入者かどうか判断する（ステップＳ２３７）。登録されている視聴者／購入者と判断されると、次に視聴者／購入者、もしくは販売店は商品ＩＤを入力する（ステップＳ２３９）。商品ＩＤに関して、視聴者／購入者へ販売店、商品情報とともに通知しておいてもよいし、販売店のＰＯＳシステムに登録しておいてもよい。また、販売店員への通知でもよいとする。入力された商品ＩＤは紹介者装置７側に送信され、紹介者装置側では、商品ＩＤでＤＢに管理されている商品と照合をとり、登録されている商品かどうか判断する（ステップＳ２４１）。ユーザＩＤと商品ＩＤが共に照合された場合、紹介者装置７もしくは視聴者／購入者のＤＢに管理、蓄積されている特典情報の更新を行なうとともに購入ログを記録しておく。通信機能を持たない確認装置では、一連の証明に必要な情報は、確認装置内に管理、蓄積されており、確認装置内で証明処理が完了する。確認装置内ＤＢに管理、蓄積されている特典情報の更新も行なわれる（ステップＳ２４５）。
【００７８】
紹介者装置７では、ＤＢ７９に管理、蓄積されている商品情報、特典情報、購入ログ情報からデータマイニング技術を用いＣＭ反響値の算出を行なう。ＣＭ反響値とは、購買された商品情報とその商品のＣＭ放送情報との相関を表すものである。例えば、「何に放送するとこの商品は、どこどこのエリアで多く購入されている」などである。マイニングされたデータは、紹介者装置７から登録されている放送局装置５へ送信される。
【００７９】
次に、図１９および図２０を参照して、本発明の第２の実施形態に係る広告商品情報配信システムについて説明する。
【００８０】
図１９に示す本実施形態の広告商品情報配信システムは、図１に示した第１の実施形態において販売店装置３、放送局装置５、および確認装置９を削除し、紹介者装置７として図２０に示すように構成される紹介者装置７０を有する点が異なるものであり、視聴者／購入者装置１は同じである。
【００８１】
紹介者装置７０は、図２０に示すように、図５に示した紹介者装置７に対して管理装置７１に商品購入証明を管理する手段７１ｇを設け、また蓄積装置７９に商品購入証明を蓄積する手段７９ｈに設け、更に商品購入を証明する手段８０ａを有する証明装置８０を有する点が異なるものであり、その他の構成および作用は図５のものと同じである。
【００８２】
図１９に示す広告商品情報配信システムにおいては、販売店装置３を削除した代わりに第１の実施形態において販売店の登録、販売店情報の入力を販売店装置３で行なっていた処理を該販売店装置３を用いることなく、販売店から直接取得するようにしているものであり、商品／販売店関連情報の取得に関するその他の作用は第１の実施形態と同じである。また、本実施形態の広告商品情報配信システムにおいては、放送局装置５を削除した代わりに第１の実施形態において広告放送情報の取得を放送局装置５で行なっていた処理を該放送局装置５を用いることなく、放送局から取得するようにしているものであり、広告放送情報の取得に関するその他の作用は第１の実施形態と同じである。
【００８３】
また、図１に示した第１の実施形態において、確認装置９で行なっていた確認処理、すなわち販売店の情報および広告商品の商品／販売店関連情報を配信された視聴者／購入者装置の視聴者／購入者が該配信情報に基づいて該広告商品を購入したか否かを確認する確認処理は、紹介者装置７０の証明装置８０において実施するようになっているものであり、この基本的処理は第１の実施形態と同じである。
【００８４】
具体的には、視聴者／購入者は、広告商品情報に連動した販売店、商品情報を取得し、販売店から提供された情報の商品を購入した場合、この購入処理は紹介者装置７０の証明装置８０によって証明される。この証明処理は、紹介者装置７０に接続し、視聴者／購入者のユーザＩＤを入力する。紹介者装置７０側では、ユーザＩＤでＤＢに蓄積管理されている視聴者／購入者と照合をとり、登録されている視聴者／購入者かどうかを判断する。登録されている視聴者／購入者と判断されると、次に視聴者／購入者、もしくは販売店は商品ＩＤを入力する。商品ＩＤに関して、視聴者／購入者へ販売店、商品情報と共に通知しておいてもよいし、販売店のＰＯＳシステムに登録しておいてもよい。また、販売店員への通知でもよいとする。入力された商品ＩＤは紹介者装置側に送信され、紹介者装置側では、商品ＩＤでＤＢに管理されている商品と照合をとり、登録されている商品かどうか判断する。ユーザＩＤと商品ＩＤが共に照合された場合、紹介者装置、もしくは、視聴者／購入者のＤＢに管理、蓄積されている特典情報の更新を行なうとともに購入ログを記録しておく。
【００８５】
紹介者装置７０は、ＤＢに管理、蓄積されている、商品情報、特典情報、購入ログ情報からデータマイニング技術を用いＣＭ反響値の算出を行なう。ＣＭ反響値とは、購買された商品情報とその商品のＣＭ放送情報との相関を表すものである。例えば、“何に放送するとこの商品は、どこどこのエリアで多く購入されている”などである。マイニングされたデータは、紹介者装置から登録されている放送局装置へ送信される。
【００８６】
なお、前記蓄積装置７９のユーザ情報蓄積手段７９ａは、興味商品情報データベースを構成している。前記蓄積装置の販売店情報蓄積手段７９ｂおよび商品情報蓄積手段７９ｃは、商品／販売店関連情報データベースを構成している。前記管理装置７１のユーザ受信条件登録管理手段７１ａは視聴者／購入者検索手段の一部を構成している。前記管理装置７１の販売店登録管理手段７１ｂは、販売店検索手段の一部を構成している。前記送信装置７２の販売店は情報および商品情報送信手段７２ｃは配信手段を構成している。前記確認装置９は購入確認手段を構成している。前記測定装置７８のＣＭ反響測定手段７８ａは反響情報生成手段を構成している。前記放送局装置５は広告情報提供装置を構成している。前記蓄積手段７９のＣＭ放送情報蓄積手段７９ｅは広告放送情報データベースを構成している。前記作成装置７７のＣＭ放送情報作成手段７７ａは広告商品情報生成手段を構成している。
【００８７】
【発明の効果】
以上説明したように、本発明によれば、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理し、ネットワークを介した通信により広告情報提供装置から広告商品の商品情報および放送時間を含む広告放送情報を取得して、該広告放送情報データベースに蓄積管理する。そして、現在時刻に近い放送時間の広告商品の商品情報を前記広告放送情報データベースから検索し、この検索で得られた商品情報に基づき前記興味商品情報データベースを検索し、該広告商品に興味のある視聴者／購入者の興味商品情報を取得するとともに、上記検索で得られた商品情報に基づき前記商品／販売店関連情報データベースを検索し、該広告商品を販売している販売店および該販売店における該広告商品の商品／販売店関連情報を取得し、取得した興味商品情報に含まれる視聴者／購入者に関する情報から該当する視聴者／購入者端末に対して、取得した商品／販売店関連情報をネットワークを介して配信するので、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能である。
【００８８】
また、本発明によれば、ネットワークを介した通信により前記視聴者／購入者端末から視聴者／購入者に関する情報、および視聴者／購入者の興味のある商品の情報を取得して、視聴者／購入者毎に興味商品情報として興味商品情報データベースに蓄積管理し、販売店で販売している商品の商品名、価格、販売店の名称および場所情報を含む商品／販売店関連情報を販売店から取得して、販売店毎に商品／販売店関連情報として商品／販売店関連情報データベースに蓄積管理する。そして、放送局からの放送波を受信し、この受信した放送波から構成される放送信号を映像処理又はオーディオ処理し、コマーシャルか否かを判断し、コマーシャルと判断したときには、テロップ認識技術により当該コマーシャルにおける広告商品の商品情報を生成し、生成された商品情報に基づき前記興味商品情報データベースを検索し、該広告商品に興味のある視聴者／購入者の興味商品情報を取得するとともに、生成された商品情報に基づき前記商品／販売店関連情報データベースを検索し、該広告商品を販売している販売店および該販売店における該広告商品の商品／販売店関連情報を取得し、取得された興味商品情報に含まれる視聴者／購入者に関する情報から該当する視聴者／購入者端末に対して、取得された商品／販売店関連情報をネットワークを介して配信するので、広告商品をテレビで見ている視聴者は該広告商品を取り扱っている販売店の情報および広告商品の商品／販売店関連情報として含まれる商品の価格などをリアルタイムで取得することができ、また販売店は取扱い商品を広告放送により無料で宣伝することができ、商品の販売機会を増大し、売上高を増加することができ、更に紹介者装置は広告商品の紹介に関する例えば情報紹介料を得ることが可能であることに加えて、放送局または広告情報提供装置などから広告商品に関する情報が得られなくても、放送波から商品情報を生成することができる。
【図面の簡単な説明】
【図１】本発明の第１の実施形態に係る広告商品情報配信方法を実施する広告商品情報配信システムの構成を示すブロック図である。
【図２】図１に示す実施形態の広告商品情報配信システムに使用されている視聴者／購入者装置の構成を示すブロック図である。
【図３】図１に示す実施形態の広告商品情報配信システムに使用されている販売店装置の構成を示すブロック図である。
【図４】図１に示す実施形態の広告商品情報配信システムに使用されている放送局装置の構成を示すブロック図である。
【図５】図１に示す実施形態の広告商品情報配信システムに使用されている紹介者装置の構成を示すブロック図である。
【図６】図１に示す実施形態の広告商品情報配信システムに使用されている確認装置の構成を示すブロック図である。
【図７】図１に示す実施形態の広告商品情報配信システムの作用を示すシーケンス図である。
【図８】図１に示す実施形態の広告商品情報配信システムにおける視聴者／購入者側から見た広告対象エリアの定義を示す説明図である。
【図９】図１に示す実施形態の広告商品情報配信システムにおけるＤＢ管理情報の一覧を示す図である。
【図１０】図１に示す実施形態の広告商品情報配信システムにおける販売店側から見た広告対象エリアの定義を示す説明図である。
【図１１】図１に示す実施形態の広告商品情報配信システムの商品情報送信処理を示すフローチャートである。
【図１２】図１に示す実施形態の広告商品情報配信システムの商品情報受信処理を示すフローチャートである。
【図１３】図１に示す実施形態の広告商品情報配信システムにおけるＤＢメタ管理情報を示す図である。
【図１４】図１に示す実施形態の広告商品情報配信システムの広告放送情報送信処理を示すフローチャートである。
【図１５】図１に示す実施形態の広告商品情報配信システムの広告放送情報受信処理を示すフローチャートである。
【図１６】図１に示す実施形態の広告商品情報配信システムの販売店、商品情報受信処理を示すフローチャートである。
【図１７】図１に示す実施形態の広告商品情報配信システムの販売店、商品情報送信処理を示すフローチャートである。
【図１８】図１に示す実施形態の広告商品情報配信システムの確認処理を示すフローチャートである。
【図１９】本発明の第２の実施形態に係る広告商品情報配信方法を実施する広告商品情報配信システムの構成を示すブロック図である。
【図２０】図１に示す実施形態の広告商品情報配信システムに使用されている紹介者装置の構成を示すブロック図である。
【符号の説明】
１  視聴者／購入者装置
３  販売店装置
５  放送局装置
７，７０  紹介者装置
９  確認装置
１０  ネットワーク
１１  視聴者／購入者装置の入力装置
１２  視聴者／購入者装置の表示装置
１６  視聴者／購入者装置の送信装置
７１  紹介者装置の管理装置
７２  紹介者装置の送信装置
７３  紹介者装置の受信装置
７７  紹介者装置の作成装置
７８  紹介者装置の測定装置
７９  紹介者装置の蓄積装置
【図１】
0003670205.tif 000002
【図２】
0003670205.tif 000003
【図３】
0003670205.tif 000004
【図４】
0003670205.tif 000005
【図５】
0003670205.tif 000006
【図６】
0003670205.tif 000007
【図７】
0003670205.tif 000008
【図８】
0003670205.tif 000009
【図９】
0003670205.tif 000010
【図１０】
0003670205.tif 000011
【図１１】
0003670205.tif 000012
【図１２】
0003670205.tif 000013
【図１３】
0003670205.tif 000014
【図１４】
0003670205.tif 000015
【図１５】
0003670205.tif 000016
【図１６】
0003670205.tif 000017
【図１７】
0003670205.tif 000018
【図１８】
0003670205.tif 000019
【図１９】
0003670205.tif 000020
【図２０】
0003670205.tif 000021